(57)【要約】【課題】ロール紙を搭載する装置に関する技術を提供する。【解決手段】ロール紙から用紙を繰出すロール紙繰出装置であって、ロール紙を搭載する第１の搭載部と、搭載可能なロール紙の径が第１の搭載部に搭載可能なロール紙の径より小さい第２の搭載部と、第１の搭載部および第２の搭載部がロール紙を繰出し可能である場合に、第２の搭載部に搭載されたロール紙が第１の搭載部に搭載されたロール紙より先に無くなるように第１の搭載部および第２の搭載部に搭載されたロール紙を繰出し、第２の搭載部にロール紙が無い場合に第１の搭載部のロール紙を繰出す繰出制御部とを備える。【選択図】図５
2012046332.tif 000002
【特許請求の範囲】
【請求項１】
ロール紙から用紙を繰出すロール紙繰出装置であって、
ロール紙を搭載する第１の搭載部と、
搭載可能なロール紙の径が前記第１の搭載部に搭載可能なロール紙の径より小さい第２の搭載部と、
前記第１の搭載部および第２の搭載部が前記ロール紙を繰出し可能である場合に、前記第２の搭載部に搭載されたロール紙が前記第１の搭載部に搭載されたロール紙より先に無くなるように前記第１の搭載部および第２の搭載部に搭載されたロール紙を繰出し、前記第２の搭載部にロール紙が無い場合に第１の搭載部のロール紙を繰出す繰出制御部と
を備える
ロール紙繰出装置。
【請求項２】
請求項１記載のロール紙繰出装置であって、さらに、
前記第１の搭載部に搭載された前記ロール紙が前記第２の搭載部に搭載可能な残量になったことを検知する残量検知部と、
前記残量検知部が前記検知した場合に、検知結果を報知する報知部と
を備えるロール紙繰出装置。
【請求項３】
請求項１または請求項２に記載のロール紙繰出装置であって、さらに、
前記第２の搭載部に搭載される前記ロール紙の径を、前記第２の搭載部に搭載可能なロール紙の径に規制する規制部を備える
ロール紙繰出装置。
【請求項４】
請求項１ないし請求項３のいずれか記載のロール紙繰出装置であって、
前記繰出制御部は、前記第１の搭載部および第２の搭載部が前記ロール紙を繰出し可能である場合に、前記第２の搭載部に搭載されたロール紙を優先的に該ロール紙が無くなるまで連続して繰り出し、前記第２の搭載部に搭載されたロール紙が無くなってから前記第１の搭載部に搭載されたロール紙を繰り出す
ロール紙繰出装置。
【請求項５】
請求項３または請求項４に記載のロール紙繰出装置であって、
前記規制部は、前記第２の搭載部に搭載される前記ロール紙の径を、前記第２の搭載部に搭載可能なロール紙の径に規制する仕切り板を備える
ロール紙繰出装置。
【請求項６】
請求項３ないし請求項５のいずれか記載のロール紙繰出装置であって、
前記規制部は、前記第２の搭載部に搭載される前記ロール紙の径を検知し、前記ロール紙の径が前記第２の搭載部に搭載可能なロール紙の径より大きい場合に報知する外径検知部を備える
ロール紙繰出装置。
【請求項７】
ロール紙を保持するロール紙保持装置であって、
ロール紙を保持する第１の保持部と、
保持可能なロール紙の径が前記第１の保持部に保持可能なロール紙の径より小さい第２の保持部と
を備える
ロール紙保持装置。
【請求項８】
ロール紙から用紙を繰出すロール紙繰出方法であって、
前記ロール紙を第１の搭載部に搭載し、
前記第１の搭載部から前記ロール紙を繰出し、
前記第１の搭載部に搭載され前記繰出しによって所定の残量以下となった前記ロール紙を、搭載可能なロール紙の径が前記第１の搭載部に搭載可能なロール紙の径より小さい第２の搭載部に搭載し、
前記第１の搭載部および第２の搭載部が前記ロール紙を繰出し可能である場合に、前記第２の搭載部に搭載されたロール紙が前記第１の搭載部に搭載されたロール紙より先に無くなるように前記第１の搭載部および第２の搭載部に搭載されたロール紙を繰出し、
前記第２の搭載部にロール紙が無い場合に第１の搭載部のロール紙を繰出す
ロール紙繰出方法。
【請求項９】
ロール紙を搭載する第１の搭載部と、搭載可能なロール紙の径が前記第１の搭載部に搭載可能なロール紙の径より小さい第２の搭載部と、前記第１の搭載部および第２の搭載部が前記ロール紙を繰出し可能である場合には、前記第１の搭載部に搭載されたロール紙が前記繰出しにより前記第２の搭載部に搭載可能な径となる前に、前記第２の搭載部に搭載されたロール紙が無くなるように前記第１の搭載部および第２の搭載部に搭載されたロール紙を繰出し、前記第１の搭載部にロール紙が無い場合には第２の搭載部のロール紙を繰出す繰出制御部とを備えるロール紙繰出装置において、ロール紙を交換するロール紙交換方法であって、
前記第１の搭載部に搭載され前記繰出しにより前記第２の搭載部に搭載可能な径以下となった前記ロール紙を前記第２の搭載部に搭載し、
前記第１の搭載部に搭載可能なロール紙を前記第１の搭載部に搭載する
ロール紙交換方法。
【発明の詳細な説明】
【技術分野】
【０００１】
本発明は、ロール紙を搭載する装置に関する。
【背景技術】
【０００２】
従来、ＡＴＭや発券装置など、限られた筐体内のスペースに搭載したロール紙から用紙を繰出して明細票の作成や発券を行うロール紙繰出装置においては、ロール紙を補充してから次のロール紙を補充するまでの期間（以下、補充期間とも呼ぶ）を極力長くして運用することが、作業効率上重要である。補充期間を長くする技術の一つとして、一巻の大容量のロール紙を搭載する技術が以前から知られている。また、近年、同じ容量のロール紙を複数搭載可能なロール紙繰出装置が知られている。複数のロール紙を搭載可能なロール紙繰出装置に関する技術としては、例えば下記特許文献１，２の技術がある。
【０００３】
特許文献１の技術は、ロール紙を複数搭載可能なロール紙繰出装置において、一方のロール紙が紙切れと成った場合に、他方のロール紙の繰出しに自動的に切替える機構を開示しており、複数のロール紙を搭載することによって補充期間を長くすることを可能としている。特許文献２の技術は、ロール紙を複数搭載可能なロール紙繰出装置において、作業者がロール紙を補充する際に不良発生頻度の高いロール紙の先端処理を行うことにより、不良発生時の迅速な対応を可能としている。また、一方のロール紙が紙切れとなり他方のロール紙へ切替える際に、先端処理の必要がなく、ロール紙切替えの高速化が望める。
【先行技術文献】
【特許文献】
【０００４】
【特許文献１】特開平１０−２１４２９号公報
【特許文献２】特開２００１−１０５６７６号公報
【発明の概要】
【発明が解決しようとする課題】
【０００５】
しかしながら、大容量のロール紙を１巻搭載可能なロール紙繰出装置では、紙切れを回避するために、ロール紙を使い切らないまま新しいロール紙に入れ替えるので、ランニングコストの点で経済的でない。また、同じ容量のロール紙を２巻搭載可能なロール紙繰出装置にでは、ロール紙を補充するタイミングは、一方のロール紙が無くなった時〜両方のロール紙が無くなるまでであるが、限られた装置のスペースの中では、大容量ロール紙の半分程度のロール紙を２巻搭載することとなり、結果的に、頻繁にロール紙を補充しなければならない。
【０００６】
本発明は、従来の課題を鑑みてなされたものであり、ロール紙を使い切る運用により、低ランニングコストでのロール紙繰出装置の運用を可能とすることを第１の目的とする。また、限られた装置スペースの制限の下、ロール紙の補充期間を長くすることを第２の目的とする。
【課題を解決するための手段】
【０００７】
本発明は、上述の課題の少なくとも一部を解決するために、以下の形態または適用例を取ることが可能である。
【０００８】
［適用例１］
ロール紙から用紙を繰出すロール紙繰出装置であって、ロール紙を搭載する第１の搭載部と、搭載可能なロール紙の径が前記第１の搭載部に搭載可能なロール紙の径より小さい第２の搭載部と、前記第１の搭載部および第２の搭載部が前記ロール紙を繰出し可能である場合に、前記第２の搭載部に搭載されたロール紙が前記第１の搭載部に搭載されたロール紙より先に無くなるように前記第１の搭載部および第２の搭載部に搭載されたロール紙を繰出し、前記第２の搭載部にロール紙が無い場合に第１の搭載部のロール紙を繰出す繰出制御部とを備えるロール紙繰出装置。
【０００９】
このロール紙繰出装置によると、ロール紙繰出装置内の一定のスペース内に、効率よくロール紙を搭載することが可能である。すなわち、ロール紙繰出装置内に搭載可能な最大の径のロール紙（第１のロール紙とも呼ぶ）を決定し、第１のロール紙を搭載する部分を第１の搭載部とする。そして、第１の搭載部に第１のロール紙を搭載後のロール紙繰出装置内のスペースにおいて、搭載可能な最大の径のロール紙（第２のロール紙とも呼ぶ）を決定し、第２のロール紙を搭載する部分を第２の搭載部とする。このようにロール紙を搭載することで、ロール紙繰出装置内に搭載可能な最大の径のロール紙を１巻搭載する場合や、同じ径のロール紙を２巻搭載する場合と比較して大容量のロール紙を搭載することができる。
【００１０】
そして、このロール紙繰出装置では、第２の搭載部に搭載されたロール紙が第１の搭載部に搭載されたロール紙より先に無くなるように第１の搭載部および第２の搭載部に搭載されたロール紙を繰出す繰出制御部を備えるので、第２の搭載部のロール紙が繰出しにより無くなったあと、第１の搭載部に搭載している第１のロール紙が、繰出しによって第２の搭載部に搭載可能な径以下の残量であれば、そのロール紙を第２の搭載部に移動させ、第１の搭載部には未使用の新たな第１のロール紙を搭載することができ、常にロール紙を使い切るロール紙の運用が可能である。
【００１１】
またロール紙の補充期間については、第２の搭載部に搭載したロール紙が繰出しによって無くなるまでの期間と、その後に第１の搭載部に搭載されたロール紙が第２の搭載部に搭載される残量となるまでの期間とを合わせた期間分を補充期間として確保することが可能である。すなわち、平均して、第１の搭載部に搭載されているロール紙１巻分を繰出しにより使い切る期間に相当する期間の補充期間を確保することができる。
【００１２】
［適用例２］
適用例１記載のロール紙繰出装置であって、さらに、前記第１の搭載部に搭載された前記ロール紙が前記第２の搭載部に搭載可能な残量になったことを検知する残量検知部と、前記残量検知部が前記検知した場合に、検知結果を報知する報知部とを備えるロール紙繰出装置。
【００１３】
このロール紙繰出装置によれば、適用例１で説明したロール紙の運用をする際に、ロール紙の移動を行う作業者が第１の搭載部に搭載されたロール紙が第２の搭載部に搭載可能な残量になったことを報知部を介して知ることができる。
【００１４】
［適用例３］
適用例１または適用例２に記載のロール紙繰出装置であって、さらに、前記第２の搭載部に搭載される前記ロール紙の径を、前記第２の搭載部に搭載可能なロール紙の径に規制する規制部を備えるロール紙繰出装置。
【００１５】
このロール紙繰出装置によれば、第２の搭載部にロール紙を装着する作業者が、ロール紙繰出装置の機構や第１のロール紙に接触する径のロール紙を装着してしまう誤作業を回避することができる。
【００１６】
［適用例４］
適用例１ないし適用例３のいずれか記載のロール紙繰出装置であって、前記繰出制御部は、前記第１の搭載部および第２の搭載部が前記ロール紙を繰出し可能である場合に、前記第２の搭載部に搭載されたロール紙を優先的に該ロール紙が無くなるまで連続して繰り出し、前記第２の搭載部に搭載されたロール紙が無くなってから前記第１の搭載部に搭載されたロール紙を繰り出すロール紙繰出装置。
【００１７】
このロール紙繰出装置によると、第１の搭載部および第２の搭載部が前記ロール紙を繰出し可能である場合に、第２の搭載部に搭載されたロール紙を優先的に該ロール紙が無くなるまで連続して繰り出し、第２の搭載部に搭載されたロール紙が無くなってから第１の搭載部に搭載されたロール紙を繰り出す制御をすることで、簡易な制御によって、適用例１の繰出制御部による制御を実現することができる。
【００１８】
［適用例５］
適用例３または適用例４に記載のロール紙繰出装置であって、前記規制部は、前記第２の搭載部に搭載される前記ロール紙の径を、前記第２の搭載部に搭載可能なロール紙の径に規制する仕切り板を備えるロール紙繰出装置。
【００１９】
このロール紙繰出装置によると、仕切り板によって、第２の搭載部にロール紙を装着する作業者が、ロール紙繰出装置の機構や第１のロール紙に接触する径のロール紙を装着してしまう誤作業を回避することができる。
【００２０】
［適用例６］
適用例３ないし適用例５のいずれか記載のロール紙繰出装置であって、前記規制部は、前記第２の搭載部に搭載される前記ロール紙の径を検知し、前記ロール紙の径が前記第２の搭載部に搭載可能なロール紙の径より大きい場合に報知する外径検知部を備えるロール紙繰出装置。
【００２１】
このロール紙繰出装置によると、外径検知部によって、第２の搭載部にロール紙を装着する作業者が、ロール紙繰出装置の機構や第１のロール紙に接触する径のロール紙を装着してしまう誤作業を回避することができる。
【００２２】
［適用例７］
ロール紙を保持するロール紙保持装置であって、ロール紙を保持する第１の保持部と、保持可能なロール紙の径が前記第１の保持部に保持可能なロール紙の径より小さい第２の保持部とを備えるロール紙保持装置。
【００２３】
このロール紙保持装置によると、ロール紙保持装置内の一定のスペース内に、効率よくロール紙を保持することが可能である。すなわち、ロール紙保持装置内に保持可能な最大の径のロール紙（第１のロール紙とも呼ぶ）を決定し、第１のロール紙を保持する部分を第１の保持部とする。そして、第１の保持部に第１のロール紙を保持後のロール紙保持装置内のスペースに保持可能な最大の径のロール紙（第２のロール紙とも呼ぶ）を決定し、第２のロール紙を保持する部分を第２の保持部とする。このようにロール紙を保持することで、ロール紙保持装置内に保持可能な最大の径のロール紙を１巻保持する場合や、同じ径のロール紙を２巻保持する場合と比較して大容量のロール紙を保持することができる。
【００２４】
［適用例８］
ロール紙から用紙を繰出すロール紙繰出方法であって、前記ロール紙を第１の搭載部に搭載し、前記第１の搭載部から前記ロール紙を繰出し、前記第１の搭載部に搭載され前記繰出しによって所定の残量以下となった前記ロール紙を、搭載可能なロール紙の径が前記第１の搭載部に搭載可能なロール紙の径より小さい第２の搭載部に搭載し、前記第１の搭載部および第２の搭載部が前記ロール紙を繰出し可能である場合に、前記第２の搭載部に搭載されたロール紙が前記第１の搭載部に搭載されたロール紙より先に無くなるように前記第１の搭載部および第２の搭載部に搭載されたロール紙を繰出し、前記第２の搭載部にロール紙が無い場合に第１の搭載部のロール紙を繰出すロール紙繰出方法。
【００２５】
このロール紙繰出方法によると、ロール紙を使い切る運用を可能とし、またそのような運用をしても紙切れとなることを回避できる。よってロール紙のランニングコストを抑えることが可能である。
【００２６】
［適用例９］
ロール紙を搭載する第１の搭載部と、搭載可能なロール紙の径が前記第１の搭載部に搭載可能なロール紙の径より小さい第２の搭載部と、前記第１の搭載部および第２の搭載部が前記ロール紙を繰出し可能である場合には、前記第１の搭載部に搭載されたロール紙が前記繰出しにより前記第２の搭載部に搭載可能な径となる前に、前記第２の搭載部に搭載されたロール紙が無くなるように前記第１の搭載部および第２の搭載部に搭載されたロール紙を繰出し、前記第１の搭載部にロール紙が無い場合には第２の搭載部のロール紙を繰出す繰出制御部とを備えるロール紙繰出装置において、ロール紙を交換するロール紙交換方法であって、前記第１の搭載部に搭載され前記繰出しにより前記第２の搭載部に搭載可能な径以下となった前記ロール紙を前記第２の搭載部に搭載し、前記第１の搭載部に搭載可能なロール紙を前記第１の搭載部に搭載するロール紙交換方法。
【００２７】
このロール紙交換方法によると、ロール紙繰出装置を用いて、ロール紙を使い切る運用を可能とし、またそのような運用をしても紙切れとなることを回避できる。よってロール紙のランニングコストを抑えることが可能である。またロール紙の補充期間については、第２の搭載部に搭載したロール紙が繰出しによって無くなるまでの期間と、その後に第１の搭載部に搭載されたロール紙が第２の搭載部に搭載可能な径の残量となるまでの期間とを合わせた期間分を補充期間として確保することが可能である。すなわち、第１の搭載部に搭載されているロール紙１巻分を繰出しにより使い切る期間に相当する期間の補充期間を確保することができる。
【００２８】
なお、本発明は、種々の態様で実現することが可能である。例えば、ロール紙の搭載方法および装置、ロール紙印字装置、明細票発行装置、発券装置、ロール紙印字システム、それらの方法等の形態で実現することができる。
【図面の簡単な説明】
【００２９】
【図１】ＡＴＭ１０の構成を概略的に示す説明図である。
【図２】明細票発行機構２０の構成を説明する説明図である。
【図３】制御部７０の構成を示すブロック図である。
【図４】ロール紙繰出方法の流れを説明した説明図である。
【図５】ロール紙繰出方法の流れを説明した説明図である。
【図６】ロール紙を１巻搭載可能な明細票発行機構を示す説明図である。
【図７】同じ容量のロール紙を２巻搭載可能な明細票発行機構を示す説明図である。
【図８】明細票発行機構２０を用いたロール紙繰出方法の効果を示す説明図である。
【図９】変形例１を説明する説明図である。
【図１０】変形例１を説明する説明図である。
【発明を実施するための形態】
【００３０】
Ａ．第１実施例：
（Ａ１）ＡＴＭ１０の構成：
図１は、本発明の第１実施例としての現金自動取引装置（以降、「ＡＴＭ」とも呼ぶ）１０の構成を概略的に示す説明図である。ＡＴＭ１０は、例えば金融機関や小売店、公共施設等に設置され、顧客（利用者）の操作に基づき現金出納等の所定の取引処理を行う装置である。
【００３１】
図１に示すように、ＡＴＭ１０は、装置前面に立つ顧客に対する前面パネル１１と、顧客側に迫り出した操作テーブル１２とを備えている。ＡＴＭ１０は、前面パネル１１に、明細票発行機構２０と、通帳取扱機構１３と、カード取扱機構１４と、紙幣入出金機構１５と、硬貨入出金機構１６とを備える。また、ＡＴＭ１０は、操作テーブル１２に、顧客操作部１７を備える。なお、図１においては、説明上必要としない一部の構成部については図示を省略している。このことは、後述する図においても同様である。
【００３２】
明細票発行機構２０は、顧客がＡＴＭ１０にて行った取引の内容を印字した明細票の発行を行う。通帳取扱機構１３は、顧客の通帳の受け入れ／排出動作や、磁気ストライプを対象としたリード／ライト動作、通帳への印字動作等を行う。カード取扱機構１４は、現金支払いや預け入れといった取引処理に必要な情報（以降、「顧客情報」とも呼ぶ。）が記録されたカードの受け入れ／排出動作や、カードに含まれる磁気ストライプを対象としたリード／ライト動作、カードのエンボス部分のイメージの読み取り動作等を行う。紙幣入出金機構１５は、紙幣の入金／出金動作や、ＡＴＭ１０内部の図示しない紙幣収納部への搬送動作といった現金（紙幣）の管理を行う。硬貨入出金機構１６は、硬貨の入金／出金動作や、ＡＴＭ１０内部の図示しない硬貨収納部への搬送動作といった現金（硬貨）の管理を行う。
【００３３】
顧客操作部１７は、例えば、入力機能と表示機能とを備えるタッチパネルにより構成されている。顧客操作部１７は、種々の情報を画面に表示すると共に顧客の画面タッチ操作を検知することにより、顧客の取引操作を誘導したり、顧客による画面表示された項目の選択や暗証番号の入力等を受け付けたりするユーザインタフェースである。なお、顧客操作部１７は、タッチパネルに代えて、ディスプレイと操作ボタンの組合せにより構成するものとしてもよい。
【００３４】
図２は、明細票発行機構２０の構成を説明する説明図である。明細票発行機構２０はロール紙を搭載し、搭載したロール紙を繰出して印字およびカットして明細票として出力する。図２に示すように、明細票発行機構２０はロール紙３０およびロール紙４０を搭載している。また、明細票発行機構２０は、筐体２５、軸受け２７、第１搭載部３２、第２搭載部４２、ニアエンドセンサ３３、仕切り板４３、エンドセンサ３４、エンドセンサ４４、報知部３５、ロール紙切替部５０、印字部６０、カット部６２、搬送部６４、放出口６６、回収部６８を備える。また、明細票発行機構２０は、その動作全体を制御する制御部７０を備える。制御部７０については、図３にて説明をする。
【００３５】
ロール紙３０，４０は各々、軸状の第１搭載部３２および第２搭載部４２に装着される。第１搭載部３２および第２搭載部４２は軸受け２７で支持されている。２つのロール紙３０，４０の用紙は複数の搬送ローラで保持され、ロール紙切替部５０まで繰出される。ロール紙切替部５０は、ロール紙３０およびロール紙４０から繰出された用紙のうちの一方の用紙のみを印字部６０に供給する。印字部６０に供給された用紙は印字され、カット部６２で所定の長さにカットされる。カットされた用紙は、放出口６６まで、搬送部６４が搬送し、放出口６６から明細票として発行する。
【００３６】
ロール紙３０は、明細票５５００枚分をロール状に巻いたものである。ロール紙３０は、筐体２５のスペース内に搭載可能なロール紙のうち、最も大きい径のロール紙である。ニアエンドセンサ３３は、ロール紙３０から用紙が繰出され、ロール紙３０が第２搭載部４２に搭載可能な大きさの径の残量（以下、規定残量とも呼ぶ）以下になったことを検知する赤外線を利用したセンサである。ニアエンドセンサ３３によって、ロール紙３０が規定残量以下であることを検知した場合、その旨を報知部３５が明細票発行機構２０の作業者に報知する。第２搭載部４２に搭載可能な大きさのロール紙の径とは、第１搭載部３２に搭載された未使用のロール紙３０（すなわち明細票５５００枚分のロール紙）や、筐体２５内に備えられた他の機構部に接触しないロール紙の径を言う。仕切り板４３は、設置によって、第２搭載部４２に搭載可能な大きさのロール紙の径より大きい径のロール紙４０を第２搭載部４２に搭載できないように規制する板である。仕切り板４３は、作業者等が過って第２搭載部４２に搭載可能な大きさのロール紙の径より大きい径のロール紙４０を第２搭載部４２に搭載することを防止している。
【００３７】
エンドセンサ３４，４４は、ロール紙３０またはロール紙４０の用紙が無く、ロール紙切替部５０まで用紙が搬送されていないことを検知するセンサである。ロール紙切替部５０は、エンドセンサ３４，４４が、ロール紙３０またはロール紙４０のいずれか一方の用紙が無いと検知した場合に、残量を有する他方のロール紙から用紙を繰出す機能部である。また、回収部６８は、発行される明細票を顧客が取り忘れた場合や、誤印字が発生した場合に、その明細票を回収し収集する。ロール紙３０，４０、第１搭載部３２、第２搭載部４２、ニアエンドセンサ３３、軸受け２７、仕切り板４３、回収部６８は、筐体２５に収納されている。
【００３８】
図３は、明細票発行機構２０全体の動作を制御する制御部７０の構成を示すブロック図である。制御部７０は、ＣＰＵ７１、ＲＯＭ７２、接続インターフェース７５、ＲＡＭ７７、ネットワークインターフェイス（ＮＴ／ＩＦ）７８を備える。ＣＰＵ７１、ＲＯＭ７２、接続インターフェース７５、ＲＡＭ７７、ＮＴ／ＩＦ７８は、バスによって互いに内部接続されている。接続インターフェース７５は、ニアエンドセンサ３３、エンドセンサ３４，４４、ロール紙切替部５０、印字部６０、カット部６２、搬送部６４と外部接続されている。
【００３９】
ＲＯＭ７２は、上述したロール紙切替部５０の動作を制御する切替制御部７３を備える。ＲＯＭ７２はさらに、優先繰出部７４を備える。優先繰出部７４は、第１搭載部３２および第２搭載部４２の両方にロール紙３０およびロール紙４０が搭載されており、いずれのロール紙も繰出し可能である場合には、ロール紙４０を優先的に繰出すようにロール紙切替部５０の動作を制御する。切替制御部７３および優先繰出部７４はＲＯＭ７２に記憶されたプログラムであり、ＣＰＵ７１によって読み込まれ、ＣＰＵ７１がそれらの機能部としてロール紙切替部５０を制御する。ＲＯＭ７２は、その他、ニアエンドセンサ３３、エンドセンサ３４，４４、ロール紙切替部５０、印字部６０、カット部６２、搬送部６４等を接続インターフェース７５を介して制御する制御部も備えているが、説明の便宜上図示を省略した。
【００４０】
ＮＴ／ＩＦ７８は、ネットワークを介して報知部３５と接続されている。報知部３５は、ＡＴＭ１０の管理者の元に備えられており、制御部７０は、ネットワークを介して報知部３５を制御する。なお、本実施例では、説明の便宜上、明細票発行機構２０の制御部である制御部７０が直接に報知部３５を制御するとしているが、制御部７０が、ＡＴＭ１０全体の動作を制御する制御装置（以下、ＡＴＭ制御装置とも呼ぶ）に報知部３５を制御する制御信号を送信し、ＡＴＭ制御装置が報知部３５を制御するとしてもよい。
【００４１】
（Ａ２）ロール紙繰出方法：
明細票発行機構２０を用いて行われるロール紙の繰出し方法について説明する。図４および図５は、ロール紙繰出方法の流れを説明した説明図である。図４は、ロール紙繰出方法の工程を示している。図５は、ロール紙繰出方法によるロール紙３０およびロール紙４０の状態の変化を図によって表している。ロール紙繰出方法は、明細票発行機構２０にロール紙３０およびロール紙４０が搭載されていない状態を初期状態として説明する。
【００４２】
ロール紙繰出方法として、最初に、作業者が第１搭載部３２に未使用のロール紙３０（明細票５５００枚分）をセットし、明細票発行機構２０の通常動作を開始する。すなわち、ＡＴＭ１０の通常運転を開始する（ステップＳ１０２）。この状態の場合、ロール紙３０の用紙は、搬送ローラおよびエンドセンサ３４を通り、ロール紙切替部５０まで搬送される。第２搭載部４２にはロール紙４０は搭載されていない。従って、エンドセンサ３４は「用紙有り」、エンドセンサ４４は「用紙無し」と検知し、ロール紙切替部５０は切替制御部７３の制御により、ロール紙３０を繰出す。そして印字部６０で印字され、カット部６２でカットされることにより、放出口６６から明細票が放出口６６から発行される（図４：ステップＳ１０４、図５：状態Ｔ１０４）。
【００４３】
明細票発行機構２０は、ロール紙３０からの用紙の繰出しによる明細票の発行を、ロール紙３０の残量が規定残量以下、すなわち第２搭載部４２に搭載可能な大きさの径の残量以下になるまで、顧客との取引毎に繰り返す。そして、ロール紙３０が規定残量以下になると、ニアエンドセンサ３３が検知し、報知部３５によって作業者に報知する。作業者への報知後も、作業者がロール紙の交換作業を行うまではロール紙切替部５０によって、ロール紙３０が繰出される（図４：ステップＳ１０６、図５：状態Ｔ１０６）。
【００４４】
報知部３５を介して作業者に報知後、作業者が、規定残量以下となったロール紙３０をロール紙４０として第２搭載部４２にセットする。そして、第１搭載部３２には新たな未使用のロール紙３０（明細票５５００枚分）をセットし、ＡＴＭ１０の通常運転を開始する（図４：ステップＳ１０８、図５：状態Ｔ１０８）。
【００４５】
ＡＴＭ１０の通常運転を開始すると、第１搭載部３２、第２搭載部４２にはロール紙３０およびロール紙４０が搭載されているので、エンドセンサ３４は「用紙有り」、エンドセンサ４４も「用紙有り」と検知する。この場合、優先繰出部７４によってロール紙切替部５０を制御して、ロール紙４０を優先的に先に繰出して明細票として発行する。ロール紙４０を優先的に繰出して明細票の発行を続けると、ロール紙４０の残量が減少する（図４：ステップＳ１１０、図５：状態Ｔ１１０）。
【００４６】
その後、ロール紙４０の残量が無くなる。この時、エンドセンサ３４は「用紙有り」と検知し、エンドセンサ４４は「用紙無し」と検知する。この状態はステップＳ１０４と同じ状態であり、ＡＴＭ１０の運転を継続する場合は（ステップＳ１１２：ＮＯ）、再び、図４のステップＳ１０４（すなわち、図５：状態Ｔ１０４）からの工程を繰り返し行う。このようにしてロール紙繰出方法は行われる。
【００４７】
以上説明したように、明細票発行機構２０を用いてロール紙繰出方法を行うと、ロール紙の補充までの期間は、平均して、明細票５５００枚分の発行つき１回の割合で行うこととなる。ロール紙の補充期間をロール紙の発行枚数で換算すると、他のロール紙の繰出し方法と比較して、上記実施例のロール紙繰出方法は補充期間が長い。図６〜図８は、明細票発行機構２０を用いたロール紙繰出方法が、他の明細票発行機構を用いたロール紙繰出方法と比較して補充期間が長いこと具体的に説明する説明図である。図６〜図８のいずれの明細票発行機構もロール紙を搭載可能な筐体のスペースを横３３８ｍｍ×縦２１６ｍｍとしている。
【００４８】
図６はロール紙を１巻搭載可能な明細票発行機構を示している。図７は同じ容量のロール紙を２巻搭載可能な明細票発行機構を示している。図８は本実施例における明細票発行機構２０を示している。図６の明細票発行機構は最大φ２１６ｍｍのロール紙を１巻、図７の明細票発行機構は、ロール紙同士が互いに接触しないような空間を考慮すると最大φ１６０ｍｍのロール紙を２巻、図８の明細票発行機構（明細票発行機構２０）は、最大φ２１６ｍｍを１巻と、最大φ１０２ｍｍのロール紙を１巻搭載可能である。
【００４９】
例えば、ロール紙の内径をφ３３．４ｍｍ、用紙厚を６５μｍ、明細票１枚分の長さを１００ｍｍとすると、それぞれの明細票発行機構に搭載可能なロール紙に巻かれる明細票数は、図６の明細票発行機構が約５５００枚、図７の明細票発行機構が約２９６０枚×２巻で約５９２０枚、図８の明細票発行機構が５５００枚を１巻と約１１７０枚を１巻で合計約６６７０枚となる。すなわち、本実施例の明細票発行機構２０は、一定の筐体内に最も多くの明細票を搭載することが可能であり、最も筐体のスペースを効率良く利用していることがわかる。
【００５０】
そして、補充期間については、図６の明細票発行機構ではロール紙残量が有る間に新しいロール紙に交換する必要があることから補充期間は明細票５５００枚以下の発行に対して１回、図７の明細票発行機構は平均して搭載しているロール紙１巻分すなわち明細票２９６０枚の発行に対して１回、図８の明細票発行機構２０は、平均して明細票５５００枚の発行に対して１回であり、明細票発行機構２０の機構を用いたロール紙繰出方法が最も補充期間が長い。すなわち、明細票発行機構２０は作業効率の向上を実現している。
【００５１】
また、明細票発行機構２０を用いたロール紙繰出方法の場合、ロール紙を使い切る運用が可能であることから、図６の明細票発行機構のように残量を残して新しいロール紙の交換する必要が無い。よって低ランニングコストによる運用が可能である。
【００５２】
さらに、ロール紙３０とロール紙４０といった２種類の径のロール紙を搭載するにも関わらず、使用途中のロール紙３０をロール紙４０として用いることから、１種類のロール紙のみでの運用が可能であり、ロール紙の運用の簡易化を実現している。
【００５３】
特許請求の範囲との対応関係としては、明細票発行機構２０が特許請求の範囲に記載のロール紙繰出装置に対応し、第１搭載部３２が特許請求の範囲に記載の第１の搭載部に対応し、第２搭載部４２が特許請求の範囲に記載の第２の搭載部に対応し、切替制御部７３および優先繰出部７４が特許請求の範囲に記載の繰出制御部に対応する。
【００５４】
Ｂ．変形例：
なお、この発明は上記の実施例や実施形態に限られるものではなく、その要旨を逸脱しない範囲において種々の態様において実施することが可能であり、例えば次のような変形も可能である。
【００５５】
（Ｂ１）変形例１：
上記実施例では、明細票発行機構２０は、作業者等が過って第２搭載部４２に搭載可能な大きさのロール紙の径より大きい径のロール紙４０を第２搭載部４２に搭載することを防止するため仕切り板４３を備えるとしたが、他の構成を採用することによって、仕切り板４３と同じ目的を達成することも可能である。例えば図９に示したように、回転軸を有する回転子８２を、ロール紙４０の径を規制する位置に複数備えるとしてもよい。
【００５６】
その他、図１０に示すように、ロール紙４０の径を規制する位置にロール紙４０を外径を検知する外径検知センサ８４、および作業者に報知する報知部８６を設け、第２搭載部４２に搭載可能な大きさのロール紙の径より大きい径のロール紙４０を第２搭載部４２に搭載した場合に、報知部８６が作業者に報知するとしてもよい。また、外径検知センサ８４および報知部８６と、仕切り板４３または回転子８２を組み合わせて用いるとしてもよい。このようにしても、上記実施例と同様の効果を得ることが可能である。
【００５７】
（Ｂ２）変形例２：
上記実施例では、本発明におけるロール紙繰出装置をＡＴＭ１０の明細票発行機構２０に適用して説明したが、それに限ることなく、例えば、ロール紙を用いてチケットを発券する発券装置や、ロール紙に領収書を印字する会計用レジスタなど、ロール紙から用紙を繰出す装置に適用可能であり、上記実施例と同様の効果を得ることが可能である。
【００５８】
（Ｂ３）変形例３：
上記実施例では、ロール紙を搭載する筐体は直方体であったが、それに限らず、筐体として様々な形状を採用することが可能である。例えば、円柱形、楕円の柱状をした形状、矩形柱など、ロール紙が搭載可能な形状であれば種々の形状を採用することが可能である。この場合、その筐体に搭載可能な第１のロール紙を決定し、その後、その筐体に第１のロール紙を搭載した状態で搭載可能な第２のロール紙を決定することで、上記実施例と同様の効果を得ることが可能である。
【００５９】
（Ｂ４）変形例４：
上記実施例では、明細票発行機構２０がロール紙３０とロール紙４０の両方を搭載する場合には、ロール紙切替部５０によって、先にロール紙４０を繰出して使用する制御を行う優先繰出部７４を備えるとしたが、それに限ることなく、ロール紙３０が規定残量以下になる前にロール紙４０が無くなるようにロール紙３０およびロール紙４０を繰出すようにロール紙切替部５０を制御すれば、上記実施例と同様の効果を得ることが可能である。例えば、ロール紙３０とロール紙４０とを交互に使用するように用紙を繰出したとしても、結果的に、ロール紙３０が規定残量以下になる前にロール紙４０が無くなるようにロール紙３０およびロール紙４０を繰出せば上記実施例と同様の効果を得ることができる。また、補充期間の若干のバラツキを許容できる場合には、ロール紙３０が無くなる前にロール紙４０が無くなるようにロール紙３０およびロール紙４０を繰出す制御をロール紙切替部５０に対して行えば、上記実施例と同様の効果を得ることが可能である。
【００６０】
（Ｂ５）変形例５：
上記実施例においてソフトウェアで実現されている機能の一部をハードウェアで実現してもよく、あるいは、ハードウェアで実現されている機能の一部をソフトウェアで実現してもよい。
【符号の説明】
【００６１】
１０…ＡＴＭ
１１…前面パネル
１２…操作テーブル
１３…通帳取扱機構
１４…カード取扱機構
１５…紙幣入出金機構
１６…硬貨入出金機構
１７…顧客操作部
２０…明細票発行機構
２５…筐体
２７…軸受け
３０…ロール紙
３２…第１搭載部
３３…ニアエンドセンサ
３４…エンドセンサ
３５…報知部
４０…ロール紙
４２…第２搭載部
４３…仕切り板
４４…エンドセンサ
５０…ロール紙切替部
６０…印字部
６２…カット部
６４…搬送部
６６…放出口
６８…回収部
７０…制御部
７１…ＣＰＵ
７２…ＲＯＭ
７３…切替制御部
７４…優先繰出部
７７…ＲＡＭ
７８…ＮＴ／ＩＦ
８２…回転子
８４…外径検知センサ
８６…報知部
【図１】
2012046332.tif 000003
【図２】
2012046332.tif 000004
【図３】
2012046332.tif 000005
【図４】
2012046332.tif 000006
【図５】
2012046332.tif 000007
【図６】
2012046332.tif 000008
【図７】
2012046332.tif 000009
【図８】
2012046332.tif 000010
【図９】
2012046332.tif 000011
【図１０】
2012046332.tif 000012